(57)【要約】【課題】１次空気を加圧供給し燃焼させる燃焼構成において、熱効率の向上と、供給空気の埃や油分を焼き切り、バーナの目詰まり防止を目的とする。【解決手段】金属の糸状加工品をバーナ燃焼体とし、前記バーナ燃焼体にガスと加圧燃焼用一次空気を混合して供給し燃焼させ、前記燃焼用一次空気を排熱を利用して加熱し、前記バーナ燃焼体内の内面に付着するほこり、油分を焼ききる構成としたガスバーナ。【選択図】　図１
2004036933.tif 000002
【特許請求の範囲】
【請求項１】
金属の糸状加工品をバーナ燃焼体とし、前記バーナ燃焼体にガスと加圧燃焼用一次空気を混合して供給し燃焼させ、前記燃焼用一次空気を排熱を利用して加熱し、前記バーナ燃焼体内の内面に付着するほこり、油分を焼ききる構成としたガスバーナ。
【請求項２】
金属の糸状加工品をバーナ燃焼体とし、前記バーナ燃焼体にガスと加圧燃焼用一次空気を混合して供給し燃焼させ、前記バーナ燃焼体において、燃焼用二次空気を排熱を利用して加熱させる構成としたガスバーナ。
【発明の詳細な説明】
【０００１】
【発明の属する技術分野】
本発明はガスを燃料として燃焼させるガスバーナに関するに関するものである。
【０００２】
【従来の技術】
従来のガスバーナには、ブンゼン式、もしくは全一次燃焼式に代表される燃焼方式があり、ブンゼン式の燃焼は１個の炎孔の燃焼負荷が高く、従って燃焼量の調節の幅が多くとれる（例えば４０００Ｋｃａｌ／ｈ〜４００Ｋｃａｌ／ｈで絞り量１／１０）という長所があるが、外炎が長くなるという短所があり、それに対して燃焼一次式の場合は、外炎は短い状態で燃焼するという長所があるが、燃焼範囲が極端に狭く（絞り量は最大火力の２０％程度が最大限度）なるという特性がある。
【０００３】
よって、外炎が短く、燃焼の範囲が大きくとれるバーナを実現するために、次のバーナ構成について検討する。金属の糸状加工品を用い全一次燃焼方式で燃焼させ、自然吸気一次燃焼で燃焼させるゾーンと、それ以上の燃焼量になった場合、一次空気を加圧供給し、燃焼範囲の拡大を図るが、この場合過負荷となっているので、完全表面燃焼とならず、外炎が伸びた状態となるので、この外炎を極力短くし表面燃焼方式に近づけるため加圧２次空気を別途供給し外炎を押さえるバーナ構成とした。
【０００４】
全一次燃焼式のセラミックバーナでは表面温度を９００℃以上に上昇させるとガス供給面が異常高温となり燃焼裏面で燃焼する逆火現象を起こし一次空気を加給し燃焼量の増大を図るには限界があったが、金属の糸状加工品を使用することにより過負荷状態の超高温になっても、燃料裏面は燃焼体が金属糸状加工品のため空気断熱効果があることから室温に５０Ｋ程度の温度上昇で収まっていることから短火炎で、燃焼面積を小さく、しかも燃焼範囲の拡大が図れるのである。
【０００５】
【発明が解決しようとする課題】
しかしながら、ここまで温度か低過ぎると、燃焼用空気として吸い込んだ空気中に含まれた埃や油成分が前記燃焼体の裏面に付着してバーナ目詰まりを起こすことが容易に考えられる。これを発生させなくするため、燃焼用１次空気を高温にして前記の埃や油分を焼き切り、バーナ裏面を何時もクリーンにさせること、また燃焼用空気を加熱することにより、不要な熱の回収が可能となり熱効率の向上を図ることが出来ることを目的としている。
【０００６】
【課題を解決するための手段】
本発明は、上記課題を解決するために、金属の糸状加工品をバーナ燃焼体とし、前記バーナ燃焼体にガスと加圧燃焼用一次空気を混合して供給し燃焼させ、前記燃焼用一次空気を排熱を利用して加熱し、前記バーナ燃焼体内の内面に付着するほこり、油分を焼ききる構成とした。
【０００７】
上記発明によれば、バーナ裏面に埃や油成分が付着してバーナ目詰まりを発させ使用できなくなることがなく、不要な加熱部からの熱回収で熱効率の回収が出来、二酸化炭素の削減にも寄与できるバーナを提供できるのである。
【０００８】
【発明の実施の形態】
請求項１に記載の発明は、金属の糸状加工品をバーナ燃焼体とし、前記バーナ燃焼体にガスと加圧燃焼用一次空気を混合して供給し燃焼させ、前記燃焼用一次空気を排熱を利用して加熱し、前記バーナ燃焼体内の内面に付着するほこり、油分を焼ききる構成とすることにより、バーナ燃焼体で、ガスと、加圧した燃焼用一次空気を混合して燃焼させ、燃焼用一次空気を排熱を利用して加熱し、バーナ燃焼体内部を高温化する。よって、内面に付着するほこりや油分を焼ききることができる。また、熱効率を向上させることが可能で、二酸化炭素の削減の効果も得られる。
【０００９】
請求項２に記載の発明は、金属の糸状加工品をバーナ燃焼体とし、前記バーナ燃焼体にガスと加圧燃焼用一次空気を混合して供給し燃焼させ、前記バーナ燃焼体において、燃焼用二次空気を排熱を利用して加熱させる構成とすることにより、バーナ燃焼体で、ガスと、加圧した燃焼用一次空気を混合して燃焼させ、燃焼用二次空気を排熱を利用して加熱し、バーナ燃焼体内部を高温化する。よって、内面に付着するほこりや油分を焼ききることができる。また、熱効率を向上させることが可能で、二酸化炭素の削減の効果も得られる。
【００１０】
【実施例】
以下本発明の実施例について、図面を参照しながら説明する。
【００１１】
（実施例１）
以下、本発明の一実施例をガス調理器に使用した例にして添付図面を参照しながら説明し、本発明の理解に供する。尚、以下に示す実施例は本発明を具体化した一例であって、本発明の技術的範囲を限定するものではない。
【００１２】
図１は本発明の実施例にかかるガス調理器の燃焼部位の断面を示す図であって、中央にバーナユニット１があり、前記バーナユニット１は、汁受け皿７に固定されたバーナ保持金具８に勘合保持する構成としている。また、前記バーナユニット１のバーナ燃焼体２の近傍には、燃焼検知用のＦＬ（フレームロット）９を設けている。このＦＬ９は、点火プラグとして兼用し、スパーク放電で点火させることも可能である。　前記バーナユニット１上方には、輻射板１０を有し、さらに輻射板１０の上には、鍋を載置するごとく１１を設けている。更にこのごとく１１近傍には燃焼した排気ガスの吸気口１２を有し、排気ガスは汁受け皿７の側壁を通路として、排気ファン１３に吸引させる排気煙道Ａを有している。更に、前記汁受け皿７には排気煙道Ａとは別の、押し込みファン１４により加圧した空気をバーナに供給する燃焼空気通路として設けた空洞Ｂとを有した構成としている。
【００１３】
図２はバーナユニット拡大図で、バーナ燃焼体２、（前記バーナ燃焼体２は、厚さが薄い円盤状に加工し、中央部には孔が設けてある）、の中央孔に、止め金具中３を挿入し、止め金具中３は筐体内筒４に挿入して、止め金具中３に設けた継止用の突起部３−１を筐体内筒の孔部４−１に押し込み抜け止めした構成、纏めると前記燃焼体２は止め金具中３と筐体内筒４の間に挟んで保持しガスシールされた構成としている。一方燃焼体２の外周は筐体５の外周に載置し、その上から鍔付き円筒形の止め金具外６を挿入して外周の保持とシールを行い、筐体５と筐体内筒４は物理的に固着状態とし、バーナユニット１としている。
【００１４】
バーナ燃焼体２は金属の糸状加工品で構成され、その構成は、金属の糸状加工品を綿布の如く編み込み所定の厚さで、バーナ燃焼体としての空気通過抵抗を確保したもの、また、金属の糸状加工品を所定の長さに切り刻んで、ランダムにまき散らして所定厚さで、バーナ燃焼体としての空気通過抵抗を確保したものなど、いずれも金属糸状加工品を使用し、耐熱性と、熱伝導性のよいバーナの燃焼体に適した材料を使用したものである。なお、金属の糸状加工品に限定した物でなくても、バーナ燃焼体として使用できる条件が合致した物を本発明の趣旨に沿って使用する場合は、その範疇にある。
【００１５】
図３に、汁受け皿７の構成部品を示す。ここに示すように、前記燃焼空気通路Ｂには燃焼１次用空気と燃焼２次用空気に分岐させる分岐部Ｃを有し、更に燃焼１次用空気通路には燃焼ガスを供給するガス供給管１５を設けた構成としている。
この構成は一実施例を示したもので、汁受け皿７に排気ガス通路Ａ、燃焼用空気通路Ｂの何れか片方を形成した場合も本願発明の範疇である。また、燃焼用空気は、汁受け皿部７に燃焼用空気通路Ｂを設けず、単に混合管を介して１次空気とガスを混合させて燃焼体に加圧供給し、同様に２次空気の供給に関しても加圧供給する構成も発明の範疇である。
【００１６】
しかして前記の燃焼用１次空気と前記のガスを混合し、混合した燃焼ガスをバーナ燃焼体２に供給して、点火手段で点火させ燃焼させる。かくして、燃焼体２を使用したバーナユニット１は、バーナ保持金具８に挿入することで簡単に取り付け取り外しが出来る構成となる。
【００１７】
従来から使用されているガスの燃焼方式について、纏めると、ガス燃焼のバーナ形態は、ブンゼン燃焼方式のユンケル式と、全１次燃焼式に大別されユンケル式は、燃焼に必要な酸素を一次空気と２次空気の双方を必要とし、全１次燃焼バーナは１次空気で燃焼を行う。ブンゼン燃焼は、１炎孔当たりの負荷が高く、従って炎が長くなり、長い炎は、非加熱体との距離を確保しないと燃焼不良を発生させ、また調理器などに使用した場合、鍋から炎がはみ出して、効率も悪く、衣服の袖に引火する等の欠点を生じていた。しかしながら、炎の長短がバーナ燃焼範囲と相関があり、ＴＤＲは１／１０もとれる特徴がある。
【００１８】
また全１次燃焼バーナの炎は短くバーナの表面で燃焼を集結させる特徴があるが、欠点はＴＤＲが全燃焼量の２０％程度しかとれないことである。また、全１次燃焼式に一般的に使用されるバーナの材質はセラミックである。このセラミックバーナで自然１次空気燃焼を行うと、９００℃前後の表面温度の時、ガス供給用の裏面温度が約８００〜８５０℃となり内面で燃焼するバックファイヤー現象を発生さす。従ってセラミックバーナの場合燃焼上限温度以上にならないよう、通常はガスの流量管理を行うことが使用上の必須事項である。
【００１９】
従って本発明の加圧空気供給式で燃焼範囲を拡大させようとすると、燃焼表面温度が従来では考えられないほどの超高温で燃焼させる必要があり、燃焼体２の表面温度は超高温であっても、ガス供給の燃焼体裏面温度は、バックファイヤー温度の８００℃以下に収まる材料でないと、炎の短小化が図れないこととなる。
【００２０】
また、バーナ燃焼体２が超高温に耐えるバーナ燃焼体２でないと酸化によって寿命が持たないこととなる。纏めると新発明の燃焼方式のバーナ燃焼体２に求める条件として、超高温に耐える材料で、超熱伝導率の大きい、比熱が超の材料が要求される。
【００２１】
ここで、超高温とは、１１００℃程度に仮定して、金属材料を選定する。また、熱伝導率の大きい物であれば表面温度が均一化されスポット的にバーナ燃焼体２が異常高温になることを防ぎ、比熱が小さいことは、裏面はガスと空気の混合気体の温度に依存し、バーナ燃焼体２の表面は燃焼温度に依存してバーナ燃焼体２の温度が決定されることとなる。
【００２２】
これらの条件を満足する材料は、金属の糸状加工品で構成された束子状の物を圧縮したシート状の物体が適している。その厚みは、糸状加工品の１本の幅、厚みとその集合体のガスの通過抵抗の状態から決定される物である。金属の糸状加工品であれば、前記の伝導率と、比熱を小さく（暖めやすく冷めやすい）する事が可能となり、高ＴＤＲの材料となり得るのである。また、高温耐熱に対しては、耐熱金属材料にアルミを添加し、高温で使用することにより添加アルミが金属表面に析出し酸化アルミ（Ａｌ２Ｏ３）を形成する材料が現在では最も適した材料である。
【００２３】
この金属の糸状加工品は塑性加工が難易で、無理に塑性変形を起こさすと、ガスの通過抵抗が確保できず燃焼体としての性能が維持できない。従って、塑性加工を行わないで使用することが可能な、円盤形状や円筒形状、円形状に必然的に限定されることとなる。
【００２４】
上記の材料を使用した、加圧燃焼空気を用いて燃焼させた燃焼時のバーナ燃焼体２の実測温度は、３５００Ｋｃａｌ／ｈ〜４００Ｋｃａｌ／ｈの燃焼範囲で、最高火力時の表面温度は１１００℃でそのときの裏面温度は５０℃但し、燃焼１次空気は、室温状態を加圧供給した状態。また最小火力では、表面温度は５００℃でそのとき裏面温度は、８０℃で、これは、１次空気が少ないので冷却効果も少ないことが影響している。また、裏面温度が最高となるのは、１０００Ｋｃａｌ／ｈ程度の時で表面温度は１０００℃程度で、裏面温度が１７０℃になった。これは、燃焼用加圧１次空気の供給量と燃焼温度のバランスによって決定される物で、燃焼体の構成や形状によって何れかにピーク温度が生じる物である。しかしながら、バックファイヤー現象が発生する８００℃にはほど遠く、十分な余裕を持って実用化は可能である。
【００２５】
また、表面温度が１１００℃の高温になると高温酸化によってバーナ燃焼体２の金属が徐々に酸化減量を生じる。しかしながら酸化による金属の減量が生じるのは表面の金属部であって、内部温度は前述したとおり低温の状態である。このことは、製品耐用寿命時にバックファイヤーを起こさないバーナ燃焼体２の厚みを予め定めて確保しておけば、減量させながら寿命相関を取る使用方法は、例え、金属の耐熱温度を超えて使用した場合であっても、有効となる便利な発熱体使用方法で、高温使用状態をあまり気にかけないで加圧供給できる新発明の所以である。
【００２６】
本願発明は１次空気の加圧供給のみでは、高火力時に外炎が比例して伸びることから、高火力になっても外炎を延ばさない２次空気を加圧供給させる、燃焼用空気を加圧供給ことも新規の発明である。
【００２７】
例えば、加圧一次空気のみで加圧２次空気を使用しないで燃焼させると、３６００Ｋｃａｌ／ｈのとき外バーナ燃焼体は青火燃焼で炎の長さは約６０ｍｍも達し、６０ｍｍ内に、冷却物（鍋など）があると、ＣＯ％は、ＪＩＳの規格をはるかに越えてしまう結果となるが、この状態で、燃焼用２次空気を加圧供給すれば、バーナ燃焼体は約１１００℃の高温赤熱体となり、炎の長さは８ｍｍ度に短くなり、従って冷却物は１０ｍｍ離れた位置に置いてもＪＩＳの規格に合格することが出来るのである。
【００２８】
また、前記バーナ燃焼体２は、金属の糸状加工品で形成されていることから、調理器具として使用する場合、燃焼中に煮汁がバーナ燃焼体２にかかった場合は煮汁成分が焼き切れるが、非燃焼時に煮汁がかかった場合、燃焼体の裏面まで煮汁が到達すると、前記したごとく、供給ガス温に近いため焼き切ることが出来ない欠点がある。従って、このバーナ燃焼体２を使用する場合は、燃焼体上部に輻射板１０を設け、煮汁遮蔽の役割をさせてバーナ燃焼体２の保護目的を構成させることが必須条件となる。
【００２９】
また前記バーナ燃焼体２は、前述の如くバーナ燃焼体２の裏面温度が供給ガス温度に類似する低い温度になる長所であり欠点を有している。長所についてはすでに述べたが、欠点は、低い温度であるが故に、燃焼空気の中の埃や、ゴミ、油分などのバーナ目詰まり対策が必要となることである。
【００３０】
従来の全１次燃焼方式の代表であるセラミックバーナの場合、燃焼体の温度が高温になり、必然的にゴミや埃を焼き切る構成となっていた。またセラミックバーナの炎孔は、０．５〜１Φ程度の複数個の孔で炎孔が形成されているのでゴミ埃は通過することが出来、実績的に炎孔の目詰まりは皆無である。これと対照的に本発明のバーナ燃焼体は温度が低く到底、ゴミ埃は焼き切れず、更に、金属の糸状加工品間の隙間では、ゴミや埃を通過させる隙間は確保できない。従って、予めゴミや埃や油成分を除去した、クリーンな燃焼空気を送り込む必要がある。
【００３１】
ゴミ埃などの除去方法として、燃焼用空気取り入れ口にフィルターを用いることは当然として、燃焼用空気を前記の加熱汁受け皿７を高温にした中を通過させて、焼き切りクリーンな状態にして、バーナ燃焼体２に送り込み欠点を補う構成として燃焼の信頼性向上を図るのが本願の発明意図である。
【００３２】
また、バーナ燃焼体２の温度が１１００℃にもなりバーナ燃焼体の端面のガスシール及び保持する止め板中３も受熱で高温になるが筐体の金属は１１００℃の高温に耐える材質は高価で、使用するにはコスト的な限界がある。そのため如何に筐体金属の温度を下降させる構成体とするかが課題であり、本発明の外炎を短くさせる加圧燃焼用２次空気を適切な温度で供給することにより、筐体金属の冷却用として使用すれば使用金属を過激な高温にせずに使用できる。
【００３３】
以上のことから円盤状の内周から燃焼用２次空気を送り込みバーナ燃焼体２の止め板中３の温度を下げる構成とし、しかもバーナ燃焼体２の加工も塑性加工を必要としないバーナを発明した。
【００３４】
本発明の主眼は、燃焼炎を短くながら、ＴＤＲを大きくする目的のため、燃焼量が少ないときは、従来の全１次燃焼方式と同様自然ドラフト程度の燃焼空気を供給して全１次燃焼とし、燃焼量を増加させるに従って、１次空気を加圧空気供給する。この場合、燃焼は表面燃焼では燃焼しきれず火炎が伸びた燃焼状態となる。この伸びた火炎に輻射板１０やごとく、鍋等が当たると火炎が冷やされ不完全燃焼となる。この状態を回避させるには、燃焼用２次空気として酸素補給が必要で、補給することにより、外炎は短くさせることが可能である。しかして、燃焼量によって１次、２次空気の加圧状態を適正に供給し燃焼範囲の広い新方式のバーナを提供する物である。
【００３５】
なお、バーナの熱効率は、バーナと鍋の距離に反比例の関係があり、外炎を短くさせることは、その目的に合致する。また、外炎を短くすることは、高齢者の袖火対策（鍋を載せるとき外炎に衣服の袖が振れて燃えるのを防ぐ）にも為るが、この燃焼はバーナ燃焼体の燃焼面積を加圧空気供給させることからブンゼン式に比べて小さく出来（約１／２）、かつ、外炎も少ないので、鍋からはみ出る外炎は、ブンゼン式に比較して極端に少なくすることが出来る。
【００３６】
ガスのコンロは掃除がしにくく、その中でも特に汁受け皿７の煮こぼれのこびりつきが掃除のしにくさのウエイトが高いのが実態である。本発明は汁受け皿７を超高温にして、煮こぼれ物を焼却しようとする発明である。
【００３７】
従来汁受け皿７を積極的に高温にする試みは無かった。その理由は、汁受け皿７とバーナの間もしくは汁受け皿７を伝って燃焼用の２次空気をブンゼン式の燃焼炎に供給しないとバーナの燃焼が確保されない条件があった為である。
【００３８】
従って汁受け皿７の温度は２００℃程度が一般的で、汁受け皿７を超高温にすることは２次空気供給面から考えられなかった。
【００３９】
本発明の燃焼方式によれば、排気煙道Ａの排気ガスの温度で加熱された、もしくは、バーナ燃焼体２の熱で加熱された、もしくは双方の熱で加熱された超高温の汁受け皿７を作り出す構成としたことにある。ここで参考的にこびりつく温度は、油分の場合３７０℃が自然発火温度でそれ以上の温度であれば焼き切ることが可能である。また澱粉質の場合は、１２０℃から脱水現象が進行し炭化が始まるが、特殊処理を施さない金属では４００℃以上でないとこびりつきがとれる状態にはならなく、従って皿７の温度は少なくとも４００℃以上が目的の効果が出る温度である。特殊処理を施した場合例えばセルフクリーニングホーローの場合であっても、その効果が発揮できる温度２５０〜３００℃であれば同様の効果を奏する。
【００４０】
前述したごとく本発明では必要箇所に必要な量の燃焼空気を加圧供給させる発明により、余分な冷却をせずに汁受け皿７の高温状態を作り出すことが可能である。その一例として汁受け皿７に空気通路Ｂ、を構成させて、燃焼用の空気を加熱させる目的は、燃焼部を密閉状態として不要な冷却空気を排除することが可能となり、熱が逃げなく汁受け皿７に蓄熱されることとなる。この、汁受け皿７の温度を高温にすると、煮汁が汁受け皿７に流入したとき、焼き切って、こびりつきや、どろどろした不衛生な状態が、発生しなく、美観を損なうことが無くなる。
【００４１】
また、熱が逃げなくなることは、熱効率の向上が図れることになりかつ、蓄熱した熱も調理用熱として利用することが可能となる。（ＪＩＳの熱効率測定方法では、所定温度で燃焼停止後にも、湯温の温度上昇が熱効率に換算される方法であり、この後沸きは、器体に蓄熱させた場合とそうでない場合は、実測値で２％の熱効率の向上につながり、全体の熱効率に与える影響は５０％が５２％になることから、４％の効果がある）
また、この蓄熱した熱の一部を燃焼用１次、２次の片方何れかもしくは双方に加熱空気として使用し、燃焼体２に供給することは、前記蓄熱による熱効率の向上と共に、従来の様に汁受け皿７を必要以上に燃焼用空気として送り込み冷却空気で過冷する事もなくなり、裏返せば、本願発明は管理された、燃焼用として必要な空気のみを、しかも加熱して送り込むことにより、汁受け皿７の高温状態を保つことがより可能となるのである。また、燃焼用に加熱空気として供給することは、例えば燃焼用２次空気を加熱供給した場合としない場合では、バーナで加熱中の鍋底を室温で冷却しながら燃焼用として酸素供給するのと、３００℃の燃焼用２次空気として鍋底を加熱しながら燃焼用として酸素供給するのと、の明白な差が生じる。この効果度は、空気の加熱方法等により差が生ずるが、一実施例では、４％の熱効率の向上が図れ、室温供給の場合５０％であったものが、加熱供給することにより、５４％の熱効率に到達した。
【００４２】
なお、排気ガスの熱回収は前記汁受け汁受け皿７を加熱させる方法と、燃焼空気押し込みファンに吸気させる空気を、前記排気ファンの冷却用として熱交換させる方法の２方法がある。また、排気ガス熱の利用は、利用した分、排気ガス温度の低減となる。従来は、排気ガスによって熱くなっていた天板１６の温度は、排気ガスが流れないため低くなり、かつ、器体内に引き込んだ排気ガスも汁受け皿７に燃焼用空気通路Ｂを設けることにより、機体内部との間は空気断熱層が形成されるので機体温度の低減が図れる。かくして機体温度の低減は、安心して使用できる条件の向上に大きく貢献することが出来ることとなる。またバーナユニット１の直上には、輻射板１０を有し、バーナ燃焼体２を煮汁から保護する目的の説明を行ったが、同時に均熱板として、また燃焼室の高温化（汁受け汁受け皿７の高温化）の効果が得られる。
【００４３】
従って輻射板１０は図に示したものは巨大円盤であるが、目的に応じて変化させることが可能でも、最小確保径は燃焼体の類似径とするのも本願発明の趣旨である。均熱板の効果は、燃焼体のバーナの径が小さくしかも超高温で燃焼し燃焼炎も短いため、局部加熱の状態となり例えばコンロとして使用した場合、鍋の中央部のみに集中し調理の熱源としては良くない。この状態の回避には輻射板１０をいれ、熱の拡散を図り、鍋底を均等に加熱させることが必要である。
【００４４】
また、燃焼室の高温化については、前述の如く、汁受け皿７の高温化と、燃焼用空気の高温化を目的とする物である。
【００４５】
なお、図４に他の実施の形態のガスバーナを示す。ここで、円柱のバーナ燃焼体１７を中央部に設け、前記バーナ燃焼体の下部の導入管１８から、燃焼用１次空気と燃焼ガスの混合気体をいれ、前記バーナ燃焼体の外周に燃焼用２次空気供給用の円筒１９を設け前記円筒１９の上部には複数の２次空気供給孔２０を設け、且つ前記円筒１９の下部には、２次空気導入管２１に空気を加圧供給させる手段を記した物である。
【００４６】
また、上記の実施例以外図示はしないが中央部にバーナ燃焼体を設け、この燃焼体は前記金属の糸状加工品を均一厚さのシート状とし、円筒に巻き付け加工し円筒形とし、前記円筒形とした燃焼体の一端を閉塞し他の一端である燃焼体下部の混合管からガスと燃焼用１次空気の混合ガスを供給し、かつこの燃焼体の外周に燃焼２次空気供給用の２次空気供給部品を有した構成としてもよい。これ以外に、円筒径の外面からガスを供給し円筒の内面で燃焼させる構成や、バーナ燃焼体を円筒形とせず、平面上の円形の場合であっても、１空気を加圧空気供給し、また２次空気を加圧供給する場合は本願発明に包含される物である。
【００４７】
また、内周２次空気供給式、は鍋底温度センサーを構成する場合の必須形状であり、外周２次空気式はバーナ燃焼体の外周を小径で構成でき、その分集中燃焼が可能で集中燃焼させることにより、燃焼炎の短炎化すなわち熱効率の向上と、最小燃焼量を下げることが可能となる。
【００４８】
【発明の効果】
以上のように、本発明によれば、１次空気を加圧供給し燃焼させる燃焼構成において、熱効率を向上させ、バーナ構成体の埃や油分を焼き切り、バーナの目詰まり防止することができる。
【図面の簡単な説明】
【図１】本発明の一実施例に於けるガスバーナの断面図
【図２】同実施例のバーナユニットの拡大断面図
【図３】同実施例の汁受け皿の燃焼用空気通路説明図
【図４】本発明のほかの実施形態の斜視図
【符号の説明】
１　バーナユニット
２、１７　バーナ燃焼体
１８　ガス導入管
１９　燃焼用２次空気供給用円筒
２０　２次空気供給孔
２１　燃焼用２次空気導入管
【図１】
2004036933.tif 000003
【図２】
2004036933.tif 000004
【図３】
2004036933.tif 000005
【図４】
2004036933.tif 000006